(57)【要約】複数の表示部画像を任意的に備える情報が簡単かつ効果的に表示されても良いようなやり方により、表示部、特にチップカード上の表示部を駆動するための方法および回路構成を提供するため、（ａ）書込モードでは、表示武上に提供されるべき情報コンテンツ（表示画像）の少なくとも１つのアイテムを備える表示部上に表示されるべき情報が表示部と１つだけ関連する駆動回路内に格納され、（ｂ）これもまた書込モードで、情報コンテンツのアイテムのそれぞれに対して明示的に割り当てられると共に表示部のイベント内の連続する情報コンテンツを決定する、選択可能な順序付けの関係が格納され、（ｃ）読出しモードでは、情報コンテンツの少なくとも１つアイテムを備える表示されるべき情報が駆動回路から呼び出されて表示部上に表示され、（ｄ）格納され明示的に割り当てられた順序付けの関係が前記呼出しおよびこれによる表示シーケンスとの関連により考慮されることにより対策が為されている。
2005504381.tif 000002
【特許請求の範囲】
【請求項１】
（ａ）書込モードでは、表示部上に提供されるべき情報コンテンツ（表示画像）の少なくとも１つのアイテムを備える表示部上に表示されるべき情報が前記表示部と１つだけ関連された駆動回路内に格納され、
（ｂ）これもまた書込モードで、情報コンテンツのアイテムのそれぞれに対して明示的に割り当てられると共に表示部のイベント内の連続する情報コンテンツを決定する、選択可能な順序付けの関係が格納され、
（ｃ）読出しモードでは、情報コンテンツの少なくとも１つアイテムを備えた表示されるべき情報が駆動回路から呼び出されて表示部上に表示され、
（ｄ）格納され明示的に割り当てられた順序付けの関係が前記呼出しおよびこれによる表示シーケンスとの関連により考慮される、
各ステップを備える表示部、特にチップカード上の表示部を駆動する方法。
【請求項２】
（ａ）複数のウェークアップ（目覚まし）信号に応答する能力を保持することから切り離された働きを有することなく、休眠状態（スリープモード）からの外部ウェークアップ信号の手段により、読出しモードが採用され、
（ｂ）その後、表示画像の最初のものとして、予め決定可能な順序付けの関係により決定された表示画像が表示され、この順序付けの関係は、固定の初期エントリで格納されたものであると共に、前記ウェークアップ信号の結果として評価される、
ことを特徴とする請求項１に記載の方法。
【請求項３】
読出しモードは、休眠状態（スリープモード）へと送り戻すために、予め決定可能な期間の満了の後に、終了することを特徴とする請求項２に記載の方法。
【請求項４】
前記外部ウェークアップ信号は、瞬間的接触スイッチの手動により生成されることを特徴とする請求項２に記載の方法。
【請求項５】
（ａ）各エントリが１つの画像に相当する記録テーブル内に、表示画像のデータが格納され、
（ｂ）表示画像を表示するための順序付けの関係のデータが参照テーブル内に格納されて、この参照テーブル内で、各エントリは、次の表示画像およびこの順序付け関係テーブルにおける単数／複数の次のエントリのテーブルインデックスに対応している請求項１ないし請求項４の何れかに記載の方法。
【請求項６】
（ａ）複数の表示画像の内の次の１つが瞬間的コンタクトスイッチの手動での作動の後に表示され、
（ｂ）前記複数の表示画像における表示されるべき次のテーブルエントリのインデックスが順序付け関係参照テーブルにおける最新のエントリから読み出され、
（ｃ）このインデックスが前記順序付け関係参照テーブルにおける次のエントリに対して同じ時間を指し示す、
ことを特徴とする請求項５に記載の方法。
【請求項７】
（ａ）前記順序付け関係参照テーブルへの各エントリは、各々が後継インデックスを含む複数の部分に分割され、
（ｂ）前記テーブルのこれらの部分のそれぞれは、もしも関連する瞬間的コンタクトスイッチが既に作動させられたのならば、所望により個別的に読み出され、
（ｃ）複数の瞬間的コンタクトスイッチの内の１つの作動の後に、次の画像として選択された表示画像が表示され、
（ｄ）複数の表示画像のうちの表示されるべき次のテーブルエントリのインデックスが順序付け関係参照テーブルにおける最新のエントリの（作動された瞬間的コンタクトスイッチに関連する）部分から読み出され、
（ｅ）このインデックスが前記順序付け関係参照テーブルにおける次のエントリに対して同じ時間を差し示す、
ことを特徴とする請求項６に記載の方法。
【請求項８】
所定期間の経過後に生成された信号が瞬間的コンタクトスイッチの作動に後続することを特徴とする請求項５ないし請求項７の何れかに記載の方法。
【請求項９】
前記順序付け関係参照テーブルに格納された複数のインデックスを介する参照は、全ての有効な表示画像の連続画像を生成し、各参照画像は後継画像のうちの少なくとも１つを参照して、少なくとも単純に連続されたリストが形成されることを特徴とする請求項５ないし請求項８の何れかに記載の方法。
【請求項１０】
連続画像は表示された表示画像の少なくとも周期的な連続を生成することを特徴とする請求項９に記載の方法。
【請求項１１】
エラー状態の選定は、予約されたテーブルエントリから個々の表示画像の表示によって表現され、エラーの決定の過程によりこのテーブルエントリにアクセスするためのインデックスは書込モード制御回路により生成されていることを特徴とする請求項７ないし請求項１０の何れかに記載の方法。
【請求項１２】
（ａ）表示連続画像の更新の決定後のエラー状態の連続した存在は、予約されたテーブルエントリから特定の表示画像の表示により表現され、エラーの決定の過程によりこのテーブルエントリにアクセスするためのインデックスは、読出しモード制御回路により生成され、
（ｂ）このインデックスは、所期のインデックスとして順序付け関係参照テーブル内に入れられる、
ことを特徴とする請求項７ないし請求項１０の何れかに記載の方法。
【請求項１３】
表示部、特にチップカード上の表示部を駆動する回路配置であって、表示部と単独に関連して、書込モードおよび読出しモードへ切り換え可能である駆動回路を備え、前記駆動回路は、書込モードを活性化させると共に表示されるべき情報の内容を提供する制御回路から独立して読出しモードの間に活性化可能であり、前記駆動回路は不揮発性メモリを備え、表示されるべき情報を分離エントリに提供する第１回路ユニットが設けられ、この情報は前記表示部に表示されるべき情報コンテンツ（表示画像）の少なくとも１つのアイテムを備え、表示されるべき情報に対応する情報コンテンツとそこに割り当てられる組織の関係とが別々に格納可能であり、表示されるべき情報と割り当てられた前記組織の関係とを読み出す際に役目を果たす第２回路ユニットが設けられ、前記第２回路ユニットは切換え手段を介して活性化可能であることを特徴とする回路配置。
【請求項１４】
前記駆動回路は、表示されるべき前記情報を供給するマスタ回路とは空間的に分離して配置されていることを特徴とする請求項１３に記載の回路配置。
【請求項１５】
前記駆動回路は、空間的に前記表示部内に配置されていることを特徴とする請求項１３および請求項１４の何れかに記載の回路配置。
【請求項１６】
前記駆動回路は、前記第１回路ユニットとしての、チップ回路コントローラのインターフェースの下流側の前記表示部の複数の直列接続回路構成に直列に配置されていることを特徴とする請求項１５に記載の回路配置。
【請求項１７】
前記駆動回路は、それぞれの動作モード（書込モード、読出しモード）にそれ自身から独立した電源を供給されていることを特徴とする請求項１３ないし請求項１６の何れかに記載の回路配置。
【請求項１８】
読出しモード用の前記電源は、電力を供給してその結果として、電圧の手動での力の発揮を行なう、電気化学的電源（主要バッテリ／アキュムレータ）、および／または長寿命キャパシタ、および／またソーラセル／ソーラパネル、および／またはピエゾ電気液晶素子であり、および／または前記電源は、電力を供給してその結果として手の接触に基づく温度差となるサーモ電気セル（ペルチア―peltier―素子）であることを特徴とする請求項１７に記載の回路構成。
【請求項１９】
（ａ）読出しモードにおける電源の使用決定された遮断（光の遮蔽／圧力または熱供給の終了）の後に、休眠状態が適用されてその後この遮断が停止するときに読出しモードが自動的に再開し；
（ｂ）再開し次第、使用決定された遮断の直前に固定された初期のエントリまたは不揮発的に緩衝された状態から開始するように、表示画像のシーケンスが再び開始し；
（ｃ）明白に記憶された前記初期のエントリまたは前記状態の順序付け関係が再開の後に表示されるべき第１の表示画像を決定するために読み出されることを特徴とする請求項１８に記載の回路配置。
【請求項２０】
書込モード用の前記電源は、接点を介して動作電圧を供給する、チップカード端子により提供されていることを特徴とする請求項１７に記載の回路配置。
【請求項２１】
書込モード用の前記電源は、電磁的なＡＣ領域を介する非接触方式で、電力を回路内へと導入するチップカード端子により提供されていることを特徴とする請求項１７に記載の回路配置。
【請求項２２】
書込モード用の前記制御回路のクロックパルス信号は、チップカード端子により提供されていることを特徴とする請求項１３ないし請求項２１の何れかに記載の回路配置。
【請求項２３】
読出しモード用の前記制御回路のクロックパルス信号は、移動チップカード装置内で自動的に生成されていることを特徴とする請求項１３ないし請求項２２の何れかに記載の回路配置
【請求項２４】
表示されるべき表示画像を変更するための連続（progression）信号は、前記駆動回路に関連して外部に設けられた電源から供給されていることを特徴とする請求項１３ないし請求項２２の何れかに記載の回路配置。
【請求項２５】
前記連続信号は、瞬間的コンタクトスイッチの作動により生成されていることを特徴とする請求項２４に記載の回路配置。
【請求項２６】
前記連続信号は、所定時間経過後に、時間決定された回路部分により自動的に生成されていることを特徴とする請求項２４に記載の回路配置。
【請求項２７】
（ａ）マスタ回路から表示駆動回路へと存在しているデータ接続を、表示されるべき情報へと供給し、
（ｂ）このデータ接続は、格納されるべき情報の書込モードにおける直列伝送を行なっていることを特徴とする請求項１３ないし請求項２４の何れかに記載の回路配置。
【請求項２８】
（ａ）マスタ回路から表示駆動回路へと存在しているデータ接続を、表示されるべき情報へと供給し、
（ｂ）このデータ接続は、格納されるべき情報の書込モードにおける伝送のためのバスプロトコルを有していることを特徴とする請求項１３ないし請求項２４の何れかに記載の回路配置。
【請求項２９】
電気的消去可能プログラム可能読出し専用メモリセル（ＥＥＰＲＯＭ―Electrically Erasable programable Read-only Mmory cells―）が、駆動回路が書込モードでも読出しモードでもないときに、表示画像および不揮発形式の画像順序付け関係のデータをもまた格納することを特徴とする請求項１３ないし請求項２８の何れかに記載の回路配置。
【請求項３０】
停電力消費揮発メモリセルが、上述された不揮発性メモリセルに置き換わると共に、読出しモード電力源により連続的に電力が供給されていることを特徴とする請求項２８に記載の回路配置。
【請求項３１】
請求項１３ないし請求項３０の少なくとも１つに記載された回路配置により特徴付けられるチップカード。
【発明の詳細な説明】
【技術分野】
【０００１】
この発明は、表示部（display）、特に、表示部を伴うチップカードのみならずチップカード上の表示部をもまた駆動する方法および回路構成に関する。
【背景技術】
【０００２】
多くの技術的な適用分野における表示部の使用が知られている。この発明の背景において、表示部は、情報を提供するために最適な表示装置を意味するものとして理解されている。情報それ自身は、表示部上に提供される情報コンテンツ（表示画像）の少なくとも１つのアイテムを備えている。このような情報提供表示部は、表示部用の駆動回路を備えるマスタユニット（コントローラ、プロセッサ）に接続されているものとして知られている。このマスタユニットは、表示部に与えられるべき情報を供給している。表示部の構造に依存して、表示のための駆動信号がマスタユニットにより供給される。したがって、例えば、電圧や電流は、記号や文字等が表示部上に提供され得るようなやり方で、表示部の個々の部分を駆動するのに最適で有用なものが生成される。
【０００３】
もしも表示画像が示されることが個別の適用例にとって不充分なものであるならば、情報コンテンツを複数の表示画像へと副分割することが必要となり、これら複数の表示画像は表示部上に次から次へと示される。複数の表示画像を必要とするこのような情報コンテンツを管理するために、マスタユニットを設けることが知られており、これは適切なソフトウェアと共に表示を駆動するための負担能力を有していることを前提にしている。このマスタユニットの不都合は、特に専門の装置、例えばチップカードを自動的に動作させる場合に、電圧の供給は、表示されるべき情報コンテンツを処理すると共に情報を表示する表示部を駆動するためのマスタユニットに対して有用に行なわれなければならない。このマスタユニットは相対的に大きな電力需要を有しているので、適切な大きさの電圧源が必要となる。
【０００４】
表示部具備チップカードは、ドイツ特許出願公開ＤＥ１９６３１５５７Ａ１により公知である。表示部にも関連するこの事例においては、チップカードプロセッサから論理的にも機能的にも分離された駆動回路が設けられている。表示装置の表示部及び駆動回路は、ソーラセル―太陽電池―の形式でそれら自身の電圧供給源を有している。
【０００５】
表示部具備チップカードは、フランス特許出願公開ＦＲ２６８０２６０Ａ１から公知であり、この公報においては情報コンテンツがスタックメモリ（stack memory一時的記憶装置―）に格納される。情報が読み出されるシーケンスは、したがって情報が書き込まれるシーケンスにより、すなわち暗黙のうちに必然的に決定されている。
【発明の概要】
【０００６】
複数の表示画像を任意的に含む情報が簡単かつ効果的に表示されることが可能となる手段により、表示部、特に、チップカード上の表示部を駆動するための方法および回路配置を提供することがこの発明の目的である。
【０００７】
この目的は、請求項１に記載された特徴を有する方法によるこの発明にしたがって達成される。すなわち、
（ａ）書込モードでは、表示部上に提供されるべき情報コンテンツ（表示画像）の少なくとも１つのアイテムを備える表示部上に表示されるべき情報が前記表示部と１つだけ関連された駆動回路内に格納され、
（ｂ）これもまた書込モードで、情報コンテンツのアイテムのそれぞれに対して明示的に割り当てられると共に表示部のイベント内の連続する情報コンテンツを決定する、選択可能な順序付けの関係が格納され、
（ｃ）読出しモードでは、情報コンテンツの少なくとも１つアイテムを備えた表示されるべき情報が駆動回路から呼び出されて表示部上に表示され、
（ｄ）格納され明示的に割り当てられた順序付けの関係が前記呼出しおよびこれによる表示シーケンスとの関連により考慮されるので、
書込モードにおいて情報コンテンツの後続するものにおける少なくとも１つ、最も簡単な場合には本当に１つのアイテム―項目―が情報コンテンツの各アイテムのために予め決定されるようにして、表示されるべき情報を格納することは有利に可能である。この後続する情報コンテンツは、割り当てられて同時に格納された明白な順序付けの関係により、割り当てられた参照内容として格納されている。このようにして、簡単に連結されたリストが構築されても良く、このリストでは、読出しモードにおける呼出シーケンスは、メモリ内の物理的シーケンスとは独立している。したがって、参照内容（順序付け関係）は情報コンテンツ（表示画像）のそれぞれのアイテムに割り当てられ、参照内容は表示されるべき情報コンテンツの次のアイテムを検索して、この単独の結果として表示部上の表示シーケンスとなる。
【０００８】
この発明の目的はさらに、請求項１３に記載された特徴を有する回路配置によるこの発明にしたがっても達成される。すなわち、表示部、特にチップカード上の表示部を駆動する回路配置であって、表示部と単独に関連して、書込モードおよび読出しモードへ切り換え可能である駆動回路を備え、前記駆動回路は、書込モードを活性化させると共に表示されるべき情報の内容を提供する制御回路から独立して読出しモードの間に活性化可能であり、前記駆動回路は不揮発性メモリを備え、表示されるべき情報を分離エントリに提供する第１回路ユニットが設けられ、この情報は前記表示部に表示されるべき情報コンテンツ（表示画像）の少なくとも１つのアイテムを備え、表示されるべき情報に対応する情報コンテンツとそこに割り当てられる組織の関係とが別々に格納可能であり、表示されるべき情報と割り当てられた前記組織の関係とを読み出す際に役目を果たす第２回路ユニットが設けられ、前記第２回路ユニットは切換え手段を介して活性化可能であるので、回路配置は有利に提供されるであろうし、表示されるべき情報の種々のアイテムに簡単にかつ融通性をもって適合されるであろうし、ここで、電力需要は回路の簡単な構成により特に低く維持されるであろう。
【０００９】
この発明の好適な発展例は、従属請求項に記載された特徴により明らかにされる。要するに、この発明に係る表示部を駆動するための方法および／または回路配置による構成に基づく能動的なマスタユニット（コントローラ、プロセッサ）を用いることなく、表示機能が独立して実行されても良い。明白な順序付けの関係によって構成することを用いることによって、表示部に割り当てられた駆動回路内では少ない回数の内部スイッチング動作で充分なので、情報コンテンツ（表示画像）の複数のアイテムを表示することができる可能性にもかかわらず、シーケンスがアプリケーションに適合するように体系付けられていても良く、ここで、読出しモードを体系付ける駆動回路の回路構成要素だけが能動的であり、電力需要は飛躍的に少なくなる。
【００１０】
最後に、この方法および回路構成は、種々の適用例、すなわち、例えば、表示されるべき情報のシーケンスの範囲および組織を変更することができることにより、または、表示されるべき情報に対して情報コンテンツを素速く付加することにより、または、この情報を素速く置換したり、変更したりまたは除去したりすることにより、融通性をもって役立つであろう。
【００１１】
表示部の駆動回路のマスタユニット（コントローラ、プロセッサ）への接続、とりわけ書込モードにおいて表示されるべき情報を受け取るための接続は、簡単に実現されるであろう。
【００１２】
この発明の特に好適な発展例において、表示部（キャッシュカード）を含むチップカード上で表示されるべき表示部を駆動するための方法および回路配置について提案されている。この回路配置の簡単な構成およびこの方法の簡単な実現によって、チップカードによるカード端末における表示、中立の休眠状態における表示、およびカード端末から独立したユーザの動作における表示に合致しなければならないという要求は可能な限り最善な程度で充足されるであろう。
【００１３】
カード端末において、チップカードのマスタユニット（コントローラ、プロセッサ）は例えば、通信用のプロトコルを走らせたり、または、暗号化アルゴリズムを演算したりするために、一般的には広範囲にわたる複雑な動作を行なっている。この状態では、ユーザが表示部上で注意することを望む情報の基本事項が生成されたりまたは相当に変更されたりする。特に、この情報は、クレジット（信用貸し）、またはデビット（借金）、またはカード端末における電子的なタイムスタンプ処理の場合には正確な時間についての詳細に関する数値的な値に関連していても良い。
【００１４】
チップカードの寿命の大部分を構成する、中立的な休眠状態においては、如何なる動作も発生しない。この状態においては、チップカードは後で使用されるためにユーザにより単にいつも持ち歩かれており、後で使用される場合においては、このカードはその休眠状態から目覚めさせられて活性化状態になる。他方、活動について定義されるべき出ある終了後においては（一般的には、個別の期間の後、または、カード端末からの除去の後）、チップカードはそれ自身を中立的な休眠状態に自動的に適合させても良い。
【００１５】
チップカードの表示部を用いてもたらせられる、カード端末を用いないユーザの動作の場合には、ユーザは直接チップカードに情報を入力する。表示部を駆動するためのこの発明による回路配置およびこの発明による方法は実現されるべきこれらの要求を可能にし、表示部用の駆動回路は、読出しモードおよび書込モードを相互に独立させて組織化しても良い相互独立動作回路を備えるように設計されている。書込モードおよび読出しモードはそれぞれが関連する回路ユニットについて異なった時間に動作すると共に、駆動回路の通常のメモリ領域に対して連絡している。
【００１６】
この発明によって提供される書込モードにおいて、この発明がトランザクション（データ処理件数）やデータ確認（オーセンティケーション）その他に個別に関連するカード端末内に設けられているものと仮定すると、複数の表示画像の明白な順序付け関係や情報コンテンツが格納されている。チップカードの設計やレイアウト（配置）に依存して、この格納は接触または非接触の方式により行なわれていても良い。書き込まれた情報コンテンツや順序付けの関係は、表示駆動回路のメモリ内に不揮発的な方式により、すなわち、チップカード端末における動作から独立して保存される。このメモリは、好ましくはＥＥＰＲＯＭメモリであり、あるいは、この発明の他の好適な発展例によれば、ＲＡＭメモリである。特に、ＲＡＭメモリはＣＭＯＳ技術を用いており、これは極めて低い電流入力を必要とするのみであるから用いられている。求められる動作電圧は、内部の簡略的に構成された電力源によって供給されていても良い。このような不揮発性メモリは、少なくともチップカードの通常の耐用年数に対応する期間の間は、表示画像の情報コンテンツや順序付けの関係を格納する位置を占めている。
【００１７】
この発明の好適な発展例において、２つのテーブルの形式がメモリを論理的に組織化するために提供されており、これらにおいて、第１のテーブルは表示画像の情報コンテンツのために用いられる。それぞれの表示画像の情報コンテンツのそれぞれのアイテムのデータは、第１のテーブル（以下、指定された記録テーブルとする。）にエントリとして格納される。第２のテーブルにおいては、情報コンテンツ表示シーケンスが系統立てられ、設計された明白な順序付けの関係が格納される。最も簡単な場合においては、第２のテーブル（以下、指定された参照テーブルとする。）において、表示されるべき情報コンテンツ（表示画像）の次のアイテムのテーブルインデックスがそれぞれのエントリに格納（エンター）される。この参照テーブル内のエントリは、少なくとも１つの後継インデックスに対する参照インデックスを形成する。
【００１８】
記録テーブルおよび参照テーブル内のエントリへのアクセスは、常に１つおよび同一のインデックスについてなされている。しかしながら、２つのテーブルへのエントリは、それら自身の大きさについて実質的に変化している。記録テーブル内のこれらエントリの大きさは表示画像の範囲に依存しているが、参照テーブル内のこれらのエントリの大きさはテーブルの大きさに対して必要なインデックスの長さに依存している。参照テーブルにおけるエントリ毎に１つの後継インデックスより多く存在している場合に、１つが個別の信号または状態により常に選択されていることから、エントリのメモリ空間はこれに伴って大きくなる。
【００１９】
チップカード端末に対して独立して適用されるであろう、この発明に係る読出しモードにおいて、メモリが読み出される。スイッチング手段を動作させることにより、表示画像の情報コンテンツは、順序付けの関係により予め決定された格納シーケンスで、連続的に表示される。このテーブルインデックスは、メモリアドレスとしての開始値と共に始まるアドレスレジスタ内の両方のテーブルに対して適用される。したがって、現時点でアドレスされたエントリは、参照テーブルから読み出されて、表示部の駆動接続部分へと供給される。このようにして生成された信号は表示部への実際の表示に適合する（マトリックス状で７セグメントのディジットの英数字とアルファベットの組合せ等）。
【００２０】
次の表示画像が表示されるべきものであるならば、参照テーブル内で現時点でアドレスされたエントリの内容はアドレスレジスタ内に受け入れられる。この発明の更なる好適な発展例によれば、複数の格納された後続のインデックスの場合、選んだインデックスがエントリ内で選択される。アドレスレジスタへの受け入れのプロセスが、例えばスイッチング手段を動作させることによる外部信号で続けられるか、または、時間の所定区間経過後に独立して続けられるかの何れかにより行なわれる。
【００２１】
したがって、例えばチップカードのような相対的に小さな表示部を備えても相対的に広範囲の情報コンテンツが表示画像の連続として表示されるであろうことは明らかである。表示駆動回路の活性化部分に対する読出しモードにおける切り換え能力の限定が個別の利点となる。情報コンテンツ（表示画像）のシーケンスを進めるための手続は、メモリからの個別のテーブルエントリの読出しに対して制限されて、アドレスレジスタの現時点での内容に基づいて、参照テーブルから、相対的に大きなインターバルで発生すると共にメモリにアドレスするアドレスレジスタに対して転送する。
【００２２】
このようにして、明白な構成と停電力需要を有する簡単な回路が製造可能となる。チップカードのマスタユニット（コントローラ、プロセッサ）に対する表示部の駆動回路の結合は、直列接続または直列のデータバスによって行なわれても良い。この発明の好適な発展例において、マスタユニットと表示駆動回路との間で２線接続された、バスプロトコルのための、提供されるべきＩ２Ｃ標準への提供がなされている。
【００２３】
書込モードおよび読出しモードの間の回路配置の回路の構成要素を分けることにより、内部電力源は、読出しモードにおける電力需要に対して個別に制限されても良いし、その理由は、書込モードの間はチップカードがチップカード端末に接続されており、これによって必要な電力が供給されているかもしれないからである。したがって、より広範囲で複雑な表示駆動回路の動作はまた、駆動回路が書込モードであるこの場合に供給される電力のより多い量によってトリガーされるかもしれない。したがって、例えば、マスタユニットと表示駆動回路との間のインターフェースのプロトコルのモジュラー設計は、頼子ウドの論理レベルでサポートされるようにしても良い。適切なソフトウェアの設計により、マスタユニットはまた、構造の観点から、簡単な連続するシーケンスよりも、より複雑な情報コンテンツのための順序付け関係を組織化するようにしても良い。これらの順序付け関係は、アプリケーションとの関係により個別に生成され変更されても良く、したがって、参照テーブル内へ初期化する方式で入力されても良い。
【００２４】
この発明により提供された、参照テーブル内の順序付け関係の明白な格納により、個別の表示画像の情報コンテンツに対する迅速な動作のためのサポートが設けられている。このようにして、チップカード端末を有するチップカードの通信の間に実際に役立つように、書込モードにおける追加時間の要求は必要なくなる。明白で固定化された順序付け関係の場合には、何れかの移動は、先行したインデックスに後続するインデックスを変更する際に費やされる作用力のみと関係している。記録テーブル内に格納された表示画像の情報コンテンツの再順序付けはまた、参照テーブルのみに関係している。このことは、記録テーブルよりもデータ範囲が具体的で実質的にはより小さいので、より簡単でより素速い取り扱いが提供される。
【００２５】
表示画像の情報コンテンツの挿入は同様にして、記録テーブルの後続する部分を置き換えることなしに、記録テーブル内の何れかの点で非常に有利に続行するようにしても良い。このことは、記録テーブルの全てのデータ内容の完全な読出しと再格納とがこのようにして手数を省くということを意味している。このため、挿入されるべき情報コンテンツ（表示画像）が現在空いているかこれから空くことになる記録テーブル内のエントリに書き込まれる。実際の挿入は、順序付けの間系を格納する参照テーブル内の複数のエントリのうちの小さな数字によって行なわれている。情報コンテンツの周期的な連鎖はまた、あるエントリがそれ自身の直接または非直接な後続について参照されることにより可能となっている。これは、現在の参照エントリ内への現在のインデックスの書込によって直接的に生じても良い。周期的な連鎖は、後続する連鎖における後の参照エントリが現在のエントリに対して参照し返されるように、間接的に生じている。
【００２６】
もしも記録テーブルおよび参照テーブルが動的なデータ構成の構造に基づいて用いられているならば、好ましくは、単一でまたは重複して連鎖されたリスト、ツリー、これらの周期的な継続およびその他の組織的な形態が生成されても良い。しかしながら、記録テーブルおよび参照テーブルを備える選択された構造はまた、簡単なデータ組織をも許容している。このため、好ましくは固定のシーケンスが初期化ルーチンを伴う単一の動作で参照テーブル内に生成されても良い。最初に、好ましくは次のエントリがそれぞれの後続するものとして固定の方式で挿入（エンター）されても良い。このデータの組織化はマスタユニット（コントローラ、プロセッサ）により行なわれると共に、所望のアプリケーションにしたがって自由度の広い度合いで選択されても良い。
【００２７】
この発明の更なる好適な発展例においては、エラーの取り扱いが提供されている。このようにして、チップカード端末を使用する遮断された不完全なデータトランザクションは後に続く修正のために表示されるかおよび／またはラベルを付されるかの何れかまたは両方であっても良い。任意的には、トランザクションの事故による遮断、特にチップカード端末からのチップカードを取り外すのが早すぎたことによる遮断は、このときに考慮されるであろう。このようにして、この発明による書込モードにおける駆動回路のメモリに書込まれる動作にとって書込みを完了されないことが可能となる。書込みが始められる前にリセットされ、その結論の後および読出しによるテストと書込の比較の後に再び有効なものとしてセットされる有効フラッグは、このようにして生じている気の付かないエラーを防止するであろう。
【００２８】
さらに、この発明の好適な発展例において、好ましくは低い作用力によって指定される駆動回路とマスタユニット（コントローラ、プロセッサ）との間の通信のために提供されるべき一般的なエラー保護やエラー取り扱いプロセスについての提供が為されている。例えば、これは、それ自体が公知であるフラッギング（flagging）装置の手段によって外部のイベントにより起因されたプロセス同期の問題の検出に関係しているであろう。
【００２９】
動作の完全な決定はまた、マスタユニット（コントローラ、プロセッサ）と表示駆動回路またはチップカード端末との間の最後の通信の後に有効となるように両側がリセットされるまでは、好ましくは追加のブロッキング（保護）時間により保証されている。このようにして、トランザクション動作の有効性はフラッグ状態により信号を送られるかもしれないということは有利に達成される。新たなトランザクションが開始される前に、最後のトランザクションの有効な決定は、無効なイベントにおける適切な応答、例えば繰り返しにおける少なくとも１つの試みを伴ってテストされる。提供されることが好ましいエラー取り扱いはまた、特定のアプリケーション、とりわけそれが生じるべきかおよびどのような内容で生じるべきかによって、決定されている。
【００３０】
したがって、この発明の更なる好適な発展例においては、たとえ後の方のエントリが回路配置によって読出しモードにおける固定のやり方で提供されたときでも、免除されるべき初期の書込動作におけるエントリを初期化することによりエラー取り扱いの提供が為されている。提供は特に、エラーのイベントにおけるエラー取り扱いをバイパス可能とされると共に通常の機能を有する複製されたテーブルエントリについて為されても良い。
【００３１】
この発明の更なる好適な発展例において、読出しモードを実行させるための少なくとも１つの自己消尽および／または連続的に再生成可能な内部電力源についての提供が為されている。自己消尽電力源は、例えば、一次電池の形態を取っていても良い。再生成可能な電力源は、例えば、太陽電池（ソーラセル）または圧電クリスタル（ピエゾ電気結晶）であっても良い。圧電クリスタルは、特に、スイッチング手段を動作させること、例えば読出しモードを活性化させるためのスイッチング手段により、必要な電源の生成が始動（トリガー）されても良いという可能性を提供する。回路配置の非常にコンパクトでロバストな（力強い）構成がこのようにして生成される。特にチップカードを用いるときには、これにより非常に有利な適用の可能性が得られる。更なる好適な発展例によれば、再生成可能な電力源としてアキュムレータがまた使用されていても良く、このアキュムレータは例えばチップカード端末の動作の間に急速に充電されるようにしても良い。最後に、実施形態の好適な変形例において、再生成可能な電源のキャパシタの形態を取っていても良く、これは、時間の適切な長さの間に充電電力を蓄積するための正しい位置にある。この発明の更なる好適な発展例によれば、少なくとも１つの自己消尽および／または少なくとも１つの再生成可能な電力源が組み合わされても良いことは言うまでもないであろう。
【００３２】
この発明の更なる好適な発展例は、表示部を駆動するための回路配置の少なくとも一部分は、表示装置の１つまたはそれ以上の層、または、表示装置内へのスイッチング回路へと構成されている。それ自体が公知である“ガラス基板上のチップ”または“プラスチップ基板上のチップ”製造プロセスは、好ましくはそれらのために用いられていても良い。さらに、駆動回路または駆動回路の一部分は、表示素子の表面および／または表示素子間の表面へと集積化されることも好ましい。回路配置を副分割すること、すなわち少なくとも１つの回路ユニット、とりわけ、表示部の近傍に記録テーブルおよび／または参照テーブルを形成する回路構成要素を組み込むことは、追加的に実現可能なことである。
【００３３】
この発明のさらに好適な発展例において、書込モードにおいてチップカード端末からのクロック供給を受け入れるために表示部を駆動するための回路配置についての提供が為されると共に、読出しモードにおいて特に発振器により生成されるべき内部クロック供給についての提供が為されている。本来備わっている固有のクロック発振器を用いないで、次の状態を定義するパルスを供給するそれぞれの場合に、スイッチング手段の個別の動作における外部信号により、読出しモードが実現されるときに、クロック供給用の内部発振器なしで済ませることは特に可能である。このようにして、回路配置は特に簡単に生成されていても良い。
【００３４】
この発明による表示部を備えるチップカードは、例えば、電子サイフ（キャッシュカード）、小切手および／またはクレジットカード、ストアカード、ディスカウントカード、ロイヤリティカード、テレホンカード、生命保険カード、給油カード、個人識別（ＩＤ）カード、携帯電話用のトップアップカードなどとして用いられても良い。追加的な情報は表示部を介してカード保有者に対して有用に為され、これは、例えば、透明なカードと共に直ちに実行されるトランザクションプロセスを行なわせる。さらに好適な適用例は、例えば、エントリカード、トラベルカード、デイリー・ウィークリー・マンスリーシーズンチケットその他の適切な自動機械からこの発明による表示部を備えるチップカードへのユーザが理解しやすい方式での送信の妥当性確認を含んでいる。このような妥当性確認または妥当性確認のための実行は、好ましくは自動化された支払い機能、例えばチップカード端末における相当する金額の借方記帳によって結びつけられていても良い。妥当性の確認の認識に加えて、実行された妥当性確認の削除または部分的な削除を立証することや、ユーザや表示部を備えるカードの認証された検査官に対して視認可能なこの要求を行なうこともまた可能となるであろう。さらに、例えば、座席予約、時間情報、公共輸送機関の接続、交通情報、気象情報、広告等の追加的な情報を備えるこの発明によるチップカードを提供することを可能にすることも好ましいことである。表示部上に表示可能な情報は、好ましくはチップカードに結合されるアクセス安全手段により、例えば追加的に保証されていても良い。これは、個別の入力結合または入力シーケンスまたは生物測定の特徴などを提供することにより実現されていても良い。生物測定の特徴の場合、この発明によるチップカードはまた、例えば合法的なカード（個人識別カード、パスポート等）として用いることもできる。
【００３５】
最後に、この発明のさらに好適な適用例において、携帯装置またはシステム内または上の表示部用の駆動回路に適用されるべき表示部を駆動するための、この発明による方法およびこの発明による回路配置についての提供が為されている。このような適用例は、例えばセル電話または無線陸上通信線電話の場合に提供されており、これらの電話においてはその実際の機能に加えて、読出しモードのときに低電力需要で管理する追加的な機能が得られるであろう。これらは、例えば、電話番号簿の表示、ＳＭＳメッセージの独立した表示などを含んでいても良い。したがって、このような情報は、このような装置の実際の機能が放電された主要アキュムレータを原因として最早これ以上使用不能であるときでさえも、表示部上に表示することができるであろう。
【００３６】
携帯装置が休眠状態（待機状態）にあるような読出しモードにおいて、取り戻すことができる追加的な情報を提供することは付加的に有利に可能である。したがって、携帯装置の主電力源の活性化は、追加的な情報の表示のためには必要ないであろう。
【００３７】
この発明の適用例についてのさらに好適な選択肢は、電子装置、例えばホームエレクトロニクス、特に遠隔操作可能な装置からの操作機能または承認信号を表示するための遠隔操作を含んでいる。さらに好適な適用例は、例えば、ページャ、電話機、自動車用の電子キー、商品記録装置、電子玩具等を含んでいる。なおその上に、１つの好適な適用例は、計測器内での使用である。これらの計測器において、計測器によって記録された寸法や一連の計測値は、計測器の完全な機能でなくとも、表示部に読み出すことができる。これらの装置の例は、燃料メータ、警報システム、オンボード・コンピュータ、支払い端末、加速度および放射量プロトコル装置、線量計、化学機械、医療機器等である。
【００３８】
結論として、この発明による方法およびこの発明による回路配置は、情報または追加的な情報が実際の装置機能を活性化させることなく、またはそれらの主電源を供給することなく、または後者の場合遮断されることなく、表示されるべきである装置内で用いられても良いことは注目されるべきである。上述したところの全てから、この発明による方法およびこの発明による回路配置は、書込モードで１つまたはそれ以上の表示画像用の情報コンテンツを受け入れて、読出しモードで１つまたはそれ以上の表示画像用の情報コンテンツを出力する独立した表示装置を許容していることは明らかである。メモリの参照テーブル内における表示画像の順番付けの関係の明白な格納は、表示画像のシーケンスのために実現されている。シーケンスそれ自身の連鎖は、ユーザの相互作用により、または時間管理の下で独立して実現されても良い。この連鎖の制御は、個別の次の表示画像を決定するために、参照テーブル内に格納された順序付け関係を用いている。読出しモードのために必要とされる回路は、メモリの参照テーブル内のエントリを直接使用させている。それゆえに、電力を節約する態様で簡単に構造化され構成されている。短いデータ転送時間は、明らかに固定されるべき順序付けの関係のための適切な組織的な形態により書込モードで実現されても良い。
【００３９】
この発明のさらに好適な発展例は、従属請求項に記載された残りの特徴により明らかにされている。
【００４０】
この発明は、添付図面に示された実施形態の具体例を参照しながら更に説明されるが、この発明はこれらの実施形態に限定されることはない。
【００４１】
図１は表示部と接点とを有する具体的なチップカードの概観図を示している。表示装置回路１は、図の中心位置に示されている。その右側部分には表示部２があり、その左側部分にはチップカードコントローラ３とコンタクト領域４がある。右手側の端部には、内部電力源５が象徴的に示されており、これは例えばバッテリ、アキュムレータまたは太陽電池の形態をしている。コンタクト領域４からは、チップカードコントローラ３および表示装置回路１への動作電圧とクロック供給のための配線６が延びている。
【００４２】
内部動作電圧は、接続線７を介して電力源５からくどく回路１へと供給されており、任意的にはそこから線８を介して表示部２へと供給されているが、これは表示技術に適合している。
【００４３】
瞬間的な接点スイッチ９（スイッチング手段、例えば、スナップ動作ディスクまたはフラットスイッチ）が駆動回路１に接続されている。
【００４４】
チップカード端末からの情報は、データ線１０を介してコンタクト領域４からコントローラ３へと転送され；直列転送フォーマットが具体的には用いられている。同様に、たくさんの適用例において、データはその上で反対の方向にも流れている。チップカードコントローラ３から駆動回路１への情報は、書込モードにおいてのみ入力（エンタ）され、これは、例えば直列接続用にまたはバスプロトコルを伴って用いられるデータ接続１１を介して行なわれている。状態情報の読出しのみ、または（例えば制御目的のための）読出し動作は、反対のデータ方向で特別に続けられている。表示部のセグメントは、制御端末１２を介して表示駆動回路１により動作させられている。全ての構成要素は、共通接地接続１３に接続されている。
【００４５】
図中で左側から中心へと延びている回路部分１４は、書込モードで活性化され、これに対して右手の回路部分１５は読出しモードで活性化されている。駆動回路１の実は両方のモードで動作する。これは、後で説明する図面においてより詳細に説明する。
【００４６】
図２および図３は、表示駆動回路１のブロック図を示している。図における状況は、書込モード（左側）についてのみ、および、読出しモード（右側）ついてのみ、の構成要素への副分割を象徴化している。中央部分においては、構成要素は両方のモードに用いられるものとして表現されている。
【００４７】
動作電圧は調整回路１７または１８に供給され、これは端末供給電圧２２または内部電源２３のためのそれぞれ１つである。
【００４８】
端末供給電圧２２は、書込モードで用いられて、その後、不揮発性ＥＥＰＲＯＭメモリ１６および書込モード制御回路１９へと供給される。これは、コントローラからのデータを受け入れて、これをスイッチングロジック２６（ここでは、概略的にスイッチとして表記されている）を介してＥＥＰＲＯＭ１６へと供給している。しかしながら、これはまた例えばモニタリング目的のため、またはエラー取り扱いのために供給されたエラー状態を受け入れるために、個々の読出し動作を許容している。スイッチングロジックは、制御信号２５を介して端末供給電圧２２により動作させられているので、端末供給電圧２２が供給されたとき書込モードは一定して活性化される。読出しモードは、端末供給電圧２２が供給されないときに適用されることが可能であるのみである。
【００４９】
図の右手側においては、読出しモード用の制御回路２０および表示ライン用の駆動回路２１が示されており、これらは表示セグメントを駆動している。これらは、読出しモードでは調整回路１８を介して内部電源２３により供給されている。
【００５０】
この回路ブロックは、最小の電力消費の休眠モードの適用と、そこからの目覚めの適用との制御を付加的に引き受けるようにしても良い。休眠モードにおいては、読出しモードの際にこれに供給される回路ブロックが切り換えオフされる。
【００５１】
休眠モードから読出しモードへと目覚めさせられるために、この回路はスイッチング手段（瞬間的なコンタクトスイッチ）２４に接続されている。もしもこの瞬間的なコンタクトスイッチ２４が読出しモードにおいて所定の時間だけ動作しなかったならば、再び休眠モードとなる。
【００５２】
図３は、スイッチングロジック２６の読出しモードへの切り換え動作の概略説明図である。ここで、ＥＥＰＲＯＭメモリ１６は、書込モード制御回路１９から読出しモード制御回路２０へと切り換えられる。これらの回路ブロックは、その他の点では図２に示された回路ブロックに対応している。
【００５３】
図４は、動作モードの手順とメモリの組織との概略説明図である。この図には、順序付けの関係と内容とが書込モードにおいて格納されることが示されている。表示装置回路１のＥＥＰＲＯＭメモリ１６は、参照用のテーブル（左側、以下参照テーブルとも指名される）と、表示画像用のテーブル（右側、以下記録テーブルとも指名される）とに分割されている。読出しモードにおいては、参照部分が読み出されて、キーストロークの後に新たなインデックスとして用いられ、さらに付加的には、連続してインデックスされた表示画像が表示部へと転送される。図４においては、以下の省略形が用いられる：Ｓ＝書込モード、Ｌ＝読出しモード、ＯＢ＝画像の順序付け、ＩＢ＝画像情報、ＡＢ＝最新画像、Ｉ＝インデックス、ＮＪ＝次のインデックス。
【００５４】
図５は、複数の表示画像のうちの１つを削除するための手順を示しており、これらの表示画像は簡単な参照リスト内のそれらのシーケンスについての中間的な後続部分に関連するそれぞれの場合に組織化される。ここから明らかなことは、包含される作用力の量が小さいことであり、単なる１つの書込動作が参照リスト内で必要となる。この参照リスト内ではギャップが発生せず−参照リストは、削除されたエントリの特別な処理を行なうことなく読出しモード回路により（次の要素を参照して）順序付けの関係に沿って読み出され続けるようにしても良い。
【００５５】
図５の上側の部分は記録テーブルの一部分についての削除に先立つ状態を示し、下側の部分は削除後の状態を示している。まず最初に、３つの表示画像２７，２８，２９が関連する参照部分３０，３１，３２と共に示されている。これらは、画像２７が画像２８によって後続され、後者は画像２９によって連続的に後続されるように連鎖的に関係付けられている。矢印は連鎖の状態を象徴的に示している。
【００５６】
例示の方法により、もしも３つの画像からの中間的な表示画像２８を除去することがその後に要求されるのであれば、参照部分３０は表示画像２９に一致する参照部分３２のインデックスをその削除要求部分に挿入するように上書きされる。
【００５７】
その結果として、削除されるべき表示画像２８はもはやシーケンスの中には出現しないことになる。
【００５８】
明らかに、時間を節約する観点からの長所がこの順序付けの関係の明白な格納から得られ、この長所は参照部分についての格納空間によっても得られることになる。
【００５９】
この例は、従来の自明の明白な順序付けに鑑みて、この発明による明白な順序付けの長所を明らかにしている。
【００６０】
明白な順序付けの場合、すなわち参照部分を伴わない連続的な格納の場合、削除されるべき１つの画像の後に続く全ての画像は置き換えられなければならないことになるであろう。この例で与えられるタスクとしては、少なくとも画像２９およびその後に続く何れかの画像を読出しおよび書き込むことがその後に必要となるであろうし、それぞれの画像は具体的には参照部分よりも相当に多いデータを含んでいる。したがって、チップカードが端末内または端末で使用されている時間の間は、実質的により多くのデータがチップカードコントローラと駆動回路との間で動かされなければならないであろうし、これは所望しない程度にまでトランザクションを特別に引き延ばすようなシーケンスを有することになるであろう。
【００６１】
図６は表示画像を挿入する手順を示し、ここではシーケンスが簡単な参照リスト内で組織化されている。
【００６２】
図の上の部分は、３つの表示画像３３，３４，３５が挿入された記録テーブルの一部分を示している。さらに、参照部分３７，３８，３９は連続させられているので、画像３４は表示画像３３に続き、今度は画像３５により続かれている。矢印はこの連鎖を象徴的に示している。
【００６３】
自由な挿入部分３６／４０はまた、テーブルの１つに示されている。挿入に先行する状態はこのようにして表示されている。
【００６４】
新たな画像は表示画像３３の後に挿入されるべきものである。この目的を達成するために、挿入されるべき表示画像の内容は、記録テーブル内のエントリ３６内に挿入される。その後、参照部分３７はエントリ４０／３６のインデックスへと変更される。さらに、後続部分３８／３４用の対応するインデックスは、参照部分４０内に書き込まれる。
【００６５】
この図の下側の部分は挿入後の状態を示している。
【００６６】
要するに、明白な順序付けの関係が連続される参照リストの形態で組織化されたときには複雑な再格納動作が必要ないことは明らかである。
【００６７】
図５における例と同様に、従来の自明である明白な順序付けとの比較は、大きくて重要な長所を示している。最終的には、この挿入動作と共に、端末内または端末でのチップカードのトランザクションは、実質的に延長されなければならないようなことはない。
【００６８】
図７は、チップカードにおける電子サイフまたは支払い領収証のためのデータ構造の一例を示している。右側に示された表示画像は、第１のエントリとして借り方に記入された量（ここでは、１０４．８０値単位）を含んでいる。その後に、最後のトランザクション（最も近接した値−４．３０値単位に、−５．２０値単位が先導されて、その後、−１．６６，−２．０５，＋１００．００，−０．６６，−０．１２，−１．１１，＋２０．００値単位の順番で）が続いている。エントリ０．００および−０．４４値単位は、アクセスされず、例えばこれらは早い時期に削除されてしまっていても良い。これらのインデックスは、インデックス０から始められる。テーブル内のそれぞれのエントリは、１つのインデックスを正確に有している。この場合、インデックスのエントリ０，１，２，３…その他は底辺側から上部側に並ぶように設計されている。
【００６９】
インデックス０はまた、読出しモードが切り換えられたときにインデックスレジスタ内で生成されている。このインデックス０はまた、参照テーブル内の最初のエントリに関連するように構成されており、これはまた、休眠モードから覚醒した後の参照部分として用いられている。
【００７０】
参照テーブルは、簡単なシーケンスリスト（インデックス１，２，３，６，５，８，１０，１１，１２，１３，０）を含んでいる。インデックス１４でのエントリは、インデックス０を参照し、これにより周期を閉鎖する。この例は、明白なインデックスシーケンスが、対応する明白なエントリ（例えば、…１，２，３，…または…，１１，１２，１３，…）による参照に適合していても良いが、他の場合においては（例えば、…６，５，８，１０，１２，…または…１３，０，…）考慮されるべきではないことを示している。融通性のある任意的な組織化の選択は、順序付け関係の参照テーブルにおける適切なエントリにより提供されている。図の底辺部分は両方のテーブルに共通のインデックスレジスタを示しており、この進行はパルス化されたクロック信号により象徴的に示される。
【００７１】
図８は、非接触のチップカードの場合におけるこの発明による駆動回路の適用例を示している。ここでは、コンタクト領域は、受信回路に設けられたアンテナ４１により置き換えられている。これは電力、クロック、情報を提供する。低域および中間周波数用に、アンテナはしばしばコイル形状を有している。高周波数用には、他の構造的な形態が用いられ、例えば、ダイポールまたは平面アレイアンテナがある。端末に対する非接触での接続はまた、容量的に行なわれていても良い。図に示された他の構成要素および接続は、図１の構成に対応している。
【００７２】
図９は、非接触チップカードに９おける駆動の適用例と内部電力源の充電とを示している。
【００７３】
図８と同様に、アンテナ４１は端末との接続を生成している。書込モード用の電圧は、このアンテナから与えられて、同時に再生可能となった内部電力源４４を充電する。この目的を達成するために、駆動回路１と電力源４４との間の接続線４２は、読出し／表示モードにおける電流を充電するためおよび放電するために用いられている。
【００７４】
駆動回路１は、切り換えスイッチ４３により拡張されている。例示の方法により、キャパシタは再生成可能な電源４４として示されているが、アキュムレータでもまた可能である。図９に示されたりインデックスされたその他の構成要素や接続は、図１のそれらに対応している。
【図面の簡単な説明】
【００７５】
【図１】表示部およびコンタクトを備える具体的なチップカードを示す概観図である。
【図２】書込モードにおける表示装置の回路を示すブロック図である。
【図３】読出しモードにおける表示装置の回路を示すブロック図である。
【図４】動作モード手続きおよびメモリ組織を示す概略説明図である。
【図５】シーケンスからの表示画像の削除の手続を示す説明図である。
【図６】表示画像を簡単な参照リストに挿入する手続を示す説明図である。
【図７】表示部を備えるサイフチップカードの場合のデータ構造の一例を示す説明図である。
【図８】非接触チップカードの駆動適用例を示すブロック図である。
【図９】非接触チップカードの駆動および内部電力源の充電適用例を示すブロック図である。
【符号の説明】
【００７６】
１  駆動回路
２  表示部
３  チップカードコントローラ
４  コンタクト領域
５  電力源
６  線（ライン）
７  接続
８  線（ライン）
９  瞬間的コンタクトスイッチ
１０  データ線
１１  データ接続
１２  制御端末
１３  接地接続
１４  回路部
１５  回路部
１６  ＥＥＰＲＯＭメモリ
１７  調整回路
１８  調整回路
１９  書込みモード制御回路
２０  読出しモード制御回路
２１  駆動回路
２２  チップカード端末供給電圧
２３  内部電力源
２４  スイッチング手段（瞬間的コンタクトスイッチ）
２５  制御信号
２６  スイッチングロジック
２７  表示画像
２８  表示画像
２９  表示画像
３０  参照部分
３１  参照部分
３２  参照部分
３３  表示画像
３４  表示画像
３５  表示画像
３６  テーブル
３７  参照部分
３８  参照部分
３９  参照部分
４０  テーブル
４１  アンテナ
４２  接続線
４３  切り換えスイッチ
４４  電力源
Ｓ  書込みモード
Ｌ  読出しモード
ＯＢ  画像順序付け
ＩＢ  画像情報
ＡＢ  最新画像
Ｉ  インデックス
ＮＪ  次のインデックス
【国際公開パンフレット】
2005504381.tif 000003
2005504381.tif 000004
2005504381.tif 000005
2005504381.tif 000006
2005504381.tif 000007
2005504381.tif 000008
2005504381.tif 000009
2005504381.tif 000010
2005504381.tif 000011
2005504381.tif 000012
2005504381.tif 000013
2005504381.tif 000014
2005504381.tif 000015
2005504381.tif 000016
2005504381.tif 000017
2005504381.tif 000018
2005504381.tif 000019
2005504381.tif 000020
2005504381.tif 000021
2005504381.tif 000022
2005504381.tif 000023
2005504381.tif 000024
2005504381.tif 000025
2005504381.tif 000026
2005504381.tif 000027
2005504381.tif 000028
2005504381.tif 000029
2005504381.tif 000030
2005504381.tif 000031
2005504381.tif 000032
2005504381.tif 000033
【国際調査報告】
2005504381.tif 000034
2005504381.tif 000035